(57)【要約】【課題】  天井部材の一部に容易に着脱可能な、光透過性のよい不燃性膜材料からなるシェードを用いた光天井構造とするための取付部材を提供する。【解決手段】  天井面１の凹所に取り付けられた蛍光灯１０の、平面全体あるいはその一部を覆う光透過性の膜材２を取り付けるために、蛍光灯１０側面反射板１１の長手方向に沿って所定間隔をあけて支持金物２０が取り付けられている。一方、反射板１１に沿って取り付けられる膜材２の端辺には、その全長あるいはその一部を保持するように膜端保持部材３０が取り付けられている。膜材２に所定の張力が付与されるように膜端保持部材３０を支持金物２０に係止して膜材２を張設し、蛍光灯１０の平面全体あるいはその一部を下方から覆う構造からなる。【選択図】  図２
2005082977.tif 000002
【特許請求の範囲】
【請求項１】
天井面に画成され内部に照明設備が収容された凹所の、平面全体あるいはその一部を覆う光透過性膜材と、前記凹所内の側面の長手方向に沿って所定間隔をあけて設けられた支持金物と、前記凹所の側面に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記凹所の平面全体あるいはその一部を下方から覆うことを特徴とする光膜天井取付構造。
【請求項２】
天井面の一部に埋め込まれた照明設備の、平面全体あるいはその一部を覆う光透過性膜材と、前記照明設備の反射板の側面の長手方向に沿って所定間隔をあけて設けられた支持金物と、前記反射板の側面に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記照明設備の平面全体あるいはその一部を下方から覆うことを特徴とする光膜天井取付構造。
【請求項３】
天井面を構成するように設けられた枠体部材で区画された平面全体あるいはその一部を覆う光透過性膜材と、前記枠体部材の長手方向に沿って所定間隔をあけて設けられた支持金物と、前記枠体部材に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記枠体部材で区画された平面全体あるいはその一部を下方から覆うことを特徴とする光膜天井取付構造。
【請求項４】
前記支持金物は、前記膜端保持部材を湾曲部の一部で押圧付勢して保持するように形状加工された板バネ部材であることを特徴とする請求項１乃至請求項３のいずれか１項に記載の光膜天井取付構造。
【請求項５】
前記膜端保持部材は、長尺部材である本体部材と膜押さえ部材との間に膜材の端辺を沿わせて挟持して、前記膜材の端辺に取り付けられたことを特徴とする請求項１乃至請求項３のいずれか１項に記載の光膜天井取付構造。
【発明の詳細な説明】
【技術分野】
【０００１】
本発明は光膜天井取付構造に係り、特に天井用照明のシェード用膜材を容易に着脱できるようにした光膜天井取付構造に関する。
【背景技術】
【０００２】
従来、天井の広い面積を占める光天井を構成する照明計画においては、多数の蛍光灯を並べた照明設備の下面を覆う照明用カバーとしてガラスカバーやアクリル樹脂カバーが使用されている。ガラスカバーは重量があるため、蛍光管の交換に伴うカバーの取り外し取り付け作業が大変であるばかりでなく、設備荷重が増すため、天井構造を構成する部材も大がかりなものとなる。また、高級感が得られるが、加工手段が限られるため、多様なカバー形状を得ることができない。一方、アクリル樹脂カバーは安価であり、軽量で加工性に富み、透過性も良いため、種々のデザインの照明用カバーとして広く利用されている。しかし、アクリル樹脂自体が可燃性材料であるため、内装によっては使用制限を受ける場合もある。
【０００３】
従来のこれらの光天井用の照明カバーに加えて、光透過性のよい不燃性の膜材料が光天井のシェード（カバー）として採用されることが多くなってきた。（非特許文献１，非特許文献２参照）。膜材料は軽量である上、様々な形状に加工可能であり、その拡張性の高さから、様々なデザインの光膜天井が施工可能であるため、光膜天井としてのジャンルが確立されつつある。特に非特許文献２は、出願人の開設したホームページであり、出願人がすでに商品として提供している光膜天井の特徴が開示されている。
【０００４】
【非特許文献１】山田照明（株）著作，“施工事例：静岡コンベンションアーツセンターグランシップ”，［online］,［平成１５年８月１８日検索］，インターネット＜URL:http://www3.yamada-shomei.co.jp/works/granship/works-gran4.htm＞
【非特許文献２】（株）トニー著作，“商品カタログ：光膜天井−Ｓ（スタンダード）”，［online］,［平成１５年８月１８日検索］，インターネット＜URL:http://fx.syscom.ne.jp/~tony/p2.html
【発明の開示】
【発明が解決しようとする課題】
【０００５】
ところで、非特許文献１，２に示した光膜天井は、天井面の所定個所に設けられた凹所内に蛍光灯等の照明器具を取り付け、凹所の周縁に沿って取り付けられた形鋼加工材を組み立てて構成した回し縁等の支持フレームの一部に、天井膜材の周縁の端辺に沿って取り付けられた端辺保持材を固定して支持させるようになっている。このため、天井膜材の周囲と建物側との間に隙間ができるとともに、支持フレームが凹所内に突設されているため、収容された照明等の光源位置によっては光膜天井の周囲に影が映ってしまうおそれがある。
【０００６】
また、支持フレームを周縁に取り付ける必要があるため、比較的幅の狭い天井埋め込みタイプの蛍光灯では、反射板に支持フレームを直接取り付けることができないため、膜材をシェードとして取り付けることができなかった。そこで、本発明の目的は上述した従来の技術が有する問題点を解消し、光膜天井を構成する膜材の端部部材を、蛍光灯の反射板や建物躯体に直接取り付けることができるようにした光膜天井取付構造を提供することにある。
【課題を解決するための手段】
【０００７】
上記目的を達成するために、本発明は天井面に画成され内部に照明設備が収容された凹所の、平面全体あるいはその一部を覆う光透過性膜材と、前記凹所内の側面の長手方向に沿って所定間隔をあけて設けられた支持金物と、前記凹所の側面に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記凹所の平面全体あるいはその一部を下方から覆うことを特徴とする。
【０００８】
蛍光灯等の照明設備に直接適用することができる発明として、天井面の一部に埋め込まれた照明設備の、平面全体あるいはその一部を覆う光透過性膜材と、前記照明設備の反射板の側面の長手方向に沿って所定間隔をあけて設けられた支持金物と、前記反射板の側面に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記照明設備の平面全体あるいはその一部を下方から覆うことを特徴とする。
【０００９】
また、他の発明として、天井面を構成するように設けられた枠体部材で区画された平面全体あるいはその一部を覆う光透過性膜材と、前記枠体部材の長手方向に沿って所定間隔をあけて設けられた支持金物と、前記枠体部材に沿って取り付けられる前記膜材の端辺の全長あるいはその一部を保持する膜端保持部材とを備え、前記光透過性膜材を、所定の張力が付与されるように前記膜端保持部材を前記支持金物に係止して張設し、前記枠体部材で区画された平面全体あるいはその一部を下方から覆うことを特徴とする。
【００１０】
上述の発明において、前記支持金物は、前記膜端保持部材を湾曲部の一部で押圧付勢して保持するように形状加工された板バネ部材とすることが好ましい。
【００１１】
また、前記膜端保持部材は、長尺部材である本体部材と膜押さえ部材との間に膜材の端辺を沿わせて挟持して、前記膜材の端辺に取り付けられるようにすることが好ましい。
【発明の効果】
【００１２】
本発明によれば、小型軽量な支持金物に、光膜天井の膜材の端部部材を着脱自在に支持させることができるので、見栄えのよい光膜天井を安価にかつ簡単に施工することができ、蛍光灯の管球交換等のメンテナンス作業も容易に行えるという効果を奏する。
【発明を実施するための最良の形態】
【００１３】
以下、図面を参照して、実施例１〜３に基づき本発明を説明する。
【実施例１】
【００１４】
図１は、天井板１の開口部に図示しない固定手段により支持された６灯並列タイプの蛍光灯１０に、本発明の光膜天井取付構造によって膜材のシェードが張設された状態を示した断面図である。図２各図は、図１に示した蛍光灯が取り付けられた天井面を斜め下方から見た概略見上げ図である。上述した蛍光灯は同図（ｂ）に示したように、反射板の側面の下端近くに張設された膜材２により下方から覆われ、これにより膜材２を透過した間接照明による光膜天井を構成するようになっている。なお、同図では、説明のために蛍光管の長手方向を短く図示しているが、図示したように膜材２が照明を覆う長さは膜材２の原反からの裁断寸法等により適宜設定することができることはいうまでもない。
【００１５】
以下、この光膜天井の取付構造の構成及び取付手順について、図３〜図５を参照して説明する。図３に拡大して示したように、蛍光灯１０の反射板１１は、下端がやや広がり開放した台形状をなし、上面には各蛍光管１２を支持するソケット（図示せず）が取り付けられている。そして反射板１１の側面には断面が所定の湾曲形状をなすように形状加工された板バネ材からなる支持金物２０が、長手方向に所定間隔をあけて固着されている（図２参照）。図３に示したように、支持金物２０の一部に後述する膜端保持部材３０の一部が係止され、膜材２が所定のテンションが付加された状態で下方から蛍光管１２を覆うように張設される。
【００１６】
膜材２としては、所定の照明効率が得られる光透過性を有し、内装材として適合する不燃性の公知の膜材を使用できる。具体的には不燃処理が施された膜材料であって、ガラス繊維織物に、四フッ化エチレン樹脂、塩化ビニル樹脂、クロロプレンゴム、クロロスルフォン化ポリエチレンゴム等のコーティングされた膜材を使用することが好ましい。
【００１７】
支持金物２０は、図３に示したように、反射板１１に密着する平板部２１と、平板部２１に連続し、略Ｕ字形に湾曲して膜端保持部材３０の頭部の一部を根元部２３で保持可能な湾曲付勢部２２と、膜端保持部材３０を反射板１１に押圧して脱落しないように押圧保持する係止部２４とが一体的な波形形状として加工された板バネ部材である。本実施例では、支持金物２０には、バネ鋼による曲げ加工部品が用いられ、蛍光管１２の配置される長手方向に沿って０．３〜０．５m間隔をあけて反射板１１の側面にリベット止めされている。
【００１８】
膜端保持部材３０は、図３，図４に示したように、本体部材３１と、膜押え部材４１とがリベット３７により接合され一体となる形状を有する、膜材２の端辺にその長手方向に沿って取り付けられる長尺部材で、張設する膜の支持金物２０への取付け可能な部材長に設定されている。本実施例では本体部材３１、膜押え部材４１ともにアルミニウム形材が用いられている。本体部材３１の上端には膜押え部材４１の上端４１ａとの嵌め合い部３２が設けられ、中間部３３は、図３に示したように、膜取付け時にリベット３７の頭部が干渉しないように収容可能に屈曲し、中間フランジ３４と膜押え部材４１の先端フランジ４４との間で膜材２を確実に挟持できるようになっている。また、下端に延びた延長部３５と下端の肉厚部３６の形状により、作業者が膜端保持部材３０を取り扱いやすくなっており、この部分を保持することにより、膜材２に固着された膜端保持部材３０の支持金物２０への着脱が容易に行える。
【００１９】
膜押え部材４１は丸みを帯びた頭部４２が、図３に示したように支持金物２０の湾曲付勢部２２の根元部２３に嵌り込むとともに、中間部４３が支持金物２０の係止部２４で押圧され、先端フランジ４４で膜材２を本体部材３１の中間フランジ３４に確実に密着させるようになっている。
【００２０】
膜端保持部材３０の本体部材３１と膜押え部材４１とは、図４に示したように、膜材２の端辺２ａを挟持した状態で、本体部材３１側から取り付けられるリベット３７によって膜材２に一体的に取り付けられる。
【００２１】
膜端保持部材３０が端辺２ａに取り付けられた膜材２を、反射板１１の内側面に固着された支持金物２０に保持させるための作業状態を示した説明図である。図５（ａ）に示したように、膜端保持部材３０の頭部４２を支持金物２０の下端に押し当て、中間位置のＵ字形の湾曲付勢部２２を押し広げるようにして、同図（ｂ）に矢印で示したように、本体部材３１を反射板１１に沿って上方に押し上げて頭部４２を湾曲付勢部２２の根元部２３まで押し入れると、支持金物２０の係止部２４が膜端保持部材３０の中間部３４を反射板１１側に押圧して膜端保持部材３０は支持金物２０で確実に保持される（図１参照）。このとき、膜材寸法、膜材の張り具合（テンション、張り形状）は膜端保持部材３０の取付位置により適宜調整でき、中間部が懸垂状態となるようにしてもよいし、十分なテンションを利かせてほぼ平板状になるように張設することも可能である。膜材２を取り外す際には、膜端保持部材３０の下端の肉厚部３６を手がかりに、膜端保持部材３０を下方に引き下げるとともに、わずかに内方に引き寄せることで膜端保持部材３０の頭部４２を支持金物２０の係止部２４からはずすことができる。
【実施例２】
【００２２】
図６は、図示しない天井スラブから吊りボルト４によって吊持され、格子状に組み立てられた野縁材に相当する枠体部材５，６を骨組みとして光膜天井を構成した実施例を示している。この枠体を構成する部材５，６は、図７に拡大断面を示したように、縦長形状のアルミニウム製の角形管からなり、図６（ｂ）に示したように、通し材５と継材６とを組み合わせて縦横に区切られた格子形状となるように地組みされ、各格子点及び補助吊り点に取り付けられた吊りボルト４によって天井スラブに吊持されている。そして、各継材６の側面には図７（ａ）に示したように、図１と略同一形状の支持金物２０が、本実施例では各格子点近くに、１辺に２個の割合で固着されている。これにより、図６に示したように、各継材６、通し材５で仕切られた部分の内法面積に等しい膜材２を各継材６間にわたって張設することができる。この実施例においても、膜材２の端辺２ａには膜端保持部材３０が取り付けられており、この膜端保持部材３０を、図７（ｂ）に示したように、継材の側面に固着された支持金物２０に保持させることで膜材２を、所定のテンションを付与させつつ、継材６間に容易に張設することができる。
【実施例３】
【００２３】
図８は、所定間隔で天井スラブ７から下がって配置された梁８，８間に天井照明としての蛍光灯１０を配列した天井照明を、本発明の光膜天井取付構造によって光膜天井とした実施例を示した側面図と、見上げ図である。図８（ａ）、図９に示したように、アンカーボルト等の固定手段（図示せず）により所定の間隔をあけて梁８の側面に支持金物２０を固着し、対向する梁８，８間に膜材２を渡し、膜材２の両側の端辺２ａに取り付けられた膜端保持部材３０を支持金物２０に保持させることで張間方向に所定幅からなる膜材２を張設することができる。そして隣接した区間にも同様に膜材２を張設することで、梁８、８に挟まれた空間を膜材２で完全に覆い、所定間隔で梁８が通る天井面全体を光膜天井とすることができる。
【００２４】
以上の実施例で述べたように、膜端保持部材は、膜材に皺が寄らないように、膜材に一様なテンションを付与して保持する役割がある。このため、ねじれやたわみを生じないように、一定の剛性を有する必要がある。本実施例では、この要件を満たすように所定断面剛性を有するアルミニウム形材を使用したが、同様の断面性能を有する形状の合成樹脂成形品を使用することも可能である。この場合、部材の軽量化を図ることができる。また、樹脂製品とした場合、希望色に着色して意匠上の効果を果たすことも可能である。さらに、膜端保持部材を構成する本体部材、膜押え部材の各部の断面形状は、上述したように、膜材を挟持して保持しやすく、支持金物のバネ付勢により確実に位置保持されるように設計されたが、その形状は、この効果を発揮できるものであれば、種々の変形を加えて対応することができる。
【００２５】
なお、以上の説明では本発明の光膜天井取付構造は、光透過性膜材が照明設備のシェード（カバー）の役割を果たすことを前提として説明したが、上方に照明設備を有しない天井面を構成する膜天井として使用する場合にも適用できる。
【００２６】
また、膜天井は水平面を構成する面を構成する場合に限らず、傾斜した天井面、さらには壁に分類されるような傾斜、たとえば鉛直面にも上述の取付構造を用いて膜材を張設できることはいうまでもない。
【図面の簡単な説明】
【００２７】
【図１】本発明の光膜天井取付構造により、蛍光灯の反射板に膜材を取り付けた実施例を示した横断面図。
【図２】図１に示した蛍光灯に膜材を取り付けた態様を示した見上げ図。
【図３】図１に示した光膜天井取付構造の部材構成を示した部分拡大断面図。
【図４】膜端保持部材の構成と、膜材の取付け状態を示した状態説明図。
【図５】支持金物への膜端保持部材の取付け状態を示した状態説明図。
【図６】格子状枠体に膜材を張設した他の実施例を示した側面図、見上げ図。
【図７】図６に示した格子状枠体に固着された取付構造の一部を示した部分拡大断面図。
【図８】天井スラブの張間に膜材を張設した他の実施例を示した側面図、見上げ図。
【図９】図７に示した梁側面に固着された取付構造の一部を示した部分拡大断面図。
【符号の説明】
【００２８】
１  天井面
２  膜材
４  吊りボルト
５，６  枠体部材
７  天井スラブ
８  梁
１０  蛍光灯
１１  反射板
２０  支持金物
３０  膜端保持部材
３１  本体部材
４１  膜押え部材
【図１】
2005082977.tif 000003
【図２】
2005082977.tif 000004
【図３】
2005082977.tif 000005
【図４】
2005082977.tif 000006
【図５】
2005082977.tif 000007
【図６】
2005082977.tif 000008
【図７】
2005082977.tif 000009
【図８】
2005082977.tif 000010
【図９】
2005082977.tif 000011